(57)【要約】【課題】  強度を向上できるＵＳＢポートを持つメモリ装置を提供する。【解決手段】  長形鉄殻蓋は、中空の鉄殻であり、内側に切削部があり、前端はやや小さい延伸部１２に形成されている。中空プラスチック覆い２は、単独個別のプラスチック覆いの部材に成型され、長形鉄殻蓋の外部の覆い結合に供されている。選定回路板３は、電子回路の組み合わせであって、回路板３の前端にはＵＳＢコネクター３１が設置され、選定回路板３は長形鉄殻蓋内に置かれている。ブラケット４は、選定されたブラケット状のものであって、選定回路板３とＵＳＢコネクター３１との間に取り付けられ、かつブラケット４の両側端部は長形鉄殻蓋の切削部に当て付けて緊密な当て持ちの定位置に形成されている。閉鎖カバー５は、回路板３の末端に嵌め付けて長形鉄殻蓋の後端に詰め込まれ、閉鎖結合の状態に形成されている。【選択図】    図４
0003106692.tif 000002
【実用新案登録請求の範囲】
【請求項１】
ＵＳＢポートを持つメモリスティックであって、長形鉄殻蓋、中空プラスチック覆い、選定回路板、ブラケット及び閉鎖カバーを備え、
長形鉄殻蓋は狭く長い中空の鉄殻であり、選定された内側にそれぞれ切削部があり、前端はやや小さい延伸部に形成されて選定回路板内に設けられているＵＳＢコネクターの配置の構成に供され、
中空プラスチック覆いは予め単独個別のプラスチック覆いの部材に成型され、長形鉄殻蓋の外部の覆い結合に供され、内部に設けられているＵＳＢコネクターのやや小さい延伸部は露出状に現われ、
選定回路板は使用のニーズによって選定機能が与えられている電子回路の組み合わせであって、回路板の前端にはＵＳＢコネクターが設置され、選定回路板は長形鉄殻蓋内に置かれ、
ブラケットは選定されたブラケット状のものであって、選定回路板とＵＳＢコネクターとの間に取り付けられ、かつブラケットの両側端部は長形鉄殻蓋の切削部に当て付けて緊密な当て持ちの定位置に形成され、
閉鎖カバーは閉鎖する蓋であって、回路板の末端に嵌め付けて長形鉄殻蓋の後端に詰め込まれ、閉鎖結合の状態に形成されることを特徴とするＵＳＢポートを持つメモリスティック。
【請求項２】
長形鉄殻蓋の殻体末端両壁には、対称の圏環部が設けられていることを特徴とする請求項１記載のＵＳＢポートを持つメモリスティック。
【請求項３】
閉鎖カバーは、プラスチックが注入されて中空プラスチック覆いに付着成型されることを特徴とする請求項１記載のＵＳＢポートを持つメモリスティック。
【請求項４】
長形鉄殻蓋の殻体末端両壁には、対称の圏環部が設けられ、かつ対称の圏環部にはそれぞれ複数個の逆鈎部がプレス加工され、並びに閉鎖カバーの二つをもって互いに組み合わせて取り付けられ、完全な末端閉鎖部材に構成されることを特徴とする請求項１記載のＵＳＢポートを持つメモリスティック。
【請求項５】
第一閉鎖カバーは、中空状に現われ、第二閉鎖カバーの選定個所には複数個の嵌め付け孔が設けられ、第一閉鎖カバーを鉄殻蓋の後端に嵌め付け、更に第二閉鎖カバーを第一閉鎖カバーに組付け、第二閉鎖カバーの嵌め付け孔によって長形鉄殻蓋の逆鈎部と嵌め付けて閉鎖を形成することを特徴とする請求項４記載のＵＳＢポートを持つメモリスティック。
【請求項６】
長形鉄殻蓋の殻体末端は、平坦に形成され、その末端上壁及び下壁にはそれぞれ一個または一個以上の嵌め付け孔が設けられ、中空プラスチック覆いの対応個所にも嵌め付け孔が設けられ、かつ上下二つの挟みばねを利用し、プラスチックを注入して一体に覆われている閉鎖カバーが形成され、挟みばねには一個または一個以上の逆鈎部が設けられ、上下に延伸する挟みばねによって逆鈎部を長形鉄殻蓋の後端に挿入し、挟みばねと鉄殻蓋の後端の嵌め付け孔と中空プラスチック覆いの嵌め付け孔は緊密な組み合わせの嵌め付け閉鎖に形成されることを特徴とする請求項１記載のＵＳＢポートを持つメモリスティック。
【請求項７】
閉鎖カバーは、プラスチックが注入されて中空のプラスチック覆いに付着成型され、閉鎖カバーと中空プラスチック覆いには一層の閉鎖結合している覆いプラスチックが形成されることを特徴とする請求項６記載のＵＳＢポートを持つメモリスティック。
【考案の詳細な説明】
【技術分野】
【０００１】
本考案は、ＵＳＢポートを持つメモリスティックの設計に関するものであって、それの主要は、長形鉄殻蓋、中空プラスチック覆い、選定回路板、ブラケット及び閉鎖カバー等の部材から構成され、それの構造及び構成形態はともに新型性がある。
【背景技術】
【０００２】
従来のＵＳＢポートを持つメモリスティックの構成は、通常、選定された機能のある回路板を直接上下殻蓋に設置し、更に合わせた殻蓋をパッケージ成型し、または、単純にペイントされるが、それの全体の構成形態は一貫した製造過程に相合わせるため、違った個別の部材によって快速に組み立てを行うことができず、特に、殻蓋の表面に対してプラスチック覆い作業を行う場合は、量産のニーズに符合できず、かつ不合格率が高くなり、また、周知のメモリスティックはＵＳＢコネクターを回路板の一端に溶接し、それを殻蓋に入れているが、適当な支え効果がなく、プラスチック覆いを行う場合は、変形しやすいので、全体の構造はよくなく、不注意または外力によって損害することがある。
【考案の開示】
【考案が解決しようとする課題】
【０００３】
本考案の主な目的は、ＵＳＢポートを持つメモリスティックの設計を提供するものであって、それは、長形鉄殻蓋、中空プラスチック覆い、選定回路板、ブラケット及び閉鎖カバー等の部材から構成され、選定回路板にブラケットを取り付けることによって、回路板を長形鉄殻蓋の内部に固定し、更に中空プラスチック覆いを鉄殻蓋に覆い結合し、並びに閉鎖カバー部材を詰め込んで鉄殻蓋の後端を閉鎖し、このような構成によるメモリスティクは長型鉄殻蓋を主体としているので、それの全体強度が向上されるだけでなく、かつ個別独立の部材と合わせて快速に組み立てを行うことができ、量産のニーズを満足させ、並びに製品の不合格率を下げることができる。
【０００４】
本考案の次の目的は、ＵＳＢポートを持つメモリスティックの設計を提供するものであって、前述鉄殻蓋の後端に詰め込んで閉鎖される閉鎖カバー部材は長形鉄殻蓋と中空プラスチック覆いを嵌め合わせた後に、閉鎖カバーを鉄殻蓋の後端に詰め込んで閉鎖し、並びにプラスチックを注入して中空プラスチック覆いに付着成型し、閉鎖カバーと中空プラスチック覆いは一体にパッケージされる覆い結合に形成される。
【０００５】
本考案のもう一つの目的は、ＵＳＢポートを持つメモリスティックの設計を提供するものであって、前述鉄殻蓋の後端に詰め込んで閉鎖される閉鎖カバー部材は二つが互いに組み合わされる閉鎖カバー部材によって構成されてもよく、まず第一閉鎖カバーを鉄殻蓋の後端に嵌め付け、更に第二閉鎖カバーを第一閉鎖カバーに組付け、それによって、鉄殻蓋の後端を閉鎖する同じ効果が得られる。
【０００６】
本考案の更に一つの目的は、ＵＳＢポートを持つメモリスティックの設計を提供するものであって、前述鉄殻蓋の後端に詰め込んで閉鎖される閉鎖カバー部材は挟みばねがある閉鎖カバー部材を利用し、挟みばねと鉄殻蓋の後端に設けられている嵌め付け孔を組み合わせて対応できるようにし、それによって、挿入後はただちに鉄殻蓋の後端を閉鎖する同効果が得られる。
【課題を解決するための手段】
【０００７】
ＵＳＢポートを持つメモリスティックの設計に関するものであって、それの主要は、長形鉄殻蓋、中空プラスチック覆い、選定回路板、ブラケット及び閉鎖カバー等の部材から構成され、特に、選定回路板にブラケットが取り付けられ、ブラケットによって回路板を鉄殻蓋の内部に固定し、更に中空プラスチック覆いをもって鉄殻蓋に覆い結合し、並びにＵＳＢポートを露出させ、更に閉鎖カバーを詰め込んで鉄殻蓋の後端を閉鎖するが、前述閉鎖方式は部材を一体にプラスチック覆いをし、または、緊密に嵌め付けて閉鎖結合の目的が達成される。
【考案を実施するための最良の形態】
【０００８】
図１から図６に示すように、本考案の第一実施例によるＵＳＢポートを持つメモリスティックによると、構成の主要は、長形鉄殻蓋１、中空プラスチック覆い２、選定回路板３、ブラケット４及び閉鎖カバー５等の部材が含まれている。
【０００９】
長形鉄殻蓋１は、図１に示すように、狭く長い中空の鉄殻であって、選定内側にそれぞれ切削部１１があり、前端はやや小さい延伸部１２に形成されて選定回路板３内に設けられているＵＳＢコネクター３１の配置の構成に供され、それによって、コンピュータの本体に設けられているＵＳＢソケットへ挿入することができ、また、殻体末端の両壁には必要によって対称の圏環部１３が形成されている。
【００１０】
中空プラスチック覆い２は、予め単独個別のプラスチック覆いの部材に成型され、特に、長形鉄殻蓋１の外部の覆い結合に供され（図２に示すように）、それによって、内部に設けられているＵＳＢポート（ＵＳＢコネクター３１）のやや小さい延伸部１２及び圏環部１３は露出状に現われる。
【００１１】
選定回路板３は、図３に示すように、周知の機能性部材で、使用のニーズによって違った機能または多くの機能を一つに集めて与えられた電子回路の組み合わせであり、回路板３の前端にはＵＳＢコネクター３１が設置され、選定回路板３は長形鉄殻蓋１内に置かれる（図４及び図５に示すように）。
【００１２】
ブラケット４は、図５に示すように、ブラケット状のものであって、選定回路板３とＵＳＢコネクター３１（図４に示すように）との間に取り付けられ、かつブラケット４の両側端部４１は長形鉄殻蓋１の切削部１１に当て付けて緊密な当て持ち定位置が形成される（図６に示すように）。
【００１３】
閉鎖カバー５は、閉鎖する蓋であって、選定回路板３の末端に嵌め付けて長形鉄殻蓋１（中空プラスチック覆いと一緒に）の後端に詰め込まれ、閉鎖結合の状態に形成されるが、閉鎖カバー５が詰め込まれて閉鎖されると、更にプラスチックを注入して中空プラスチック覆い２に付着成型し、閉鎖カバー５と中空プラスチック覆い２は一層の閉鎖プラスチック５１が覆われている結合に形成される（図６のように）。
【００１４】
上述によって構成されているＵＳＢポートを持つメモリスティックは、本実施例は長形鉄殻蓋１を主体としているので、それの全体強度が向上されるだけでなく、かつ個別独立の部材と合わせて快速に組み立てを行うことができ、量産のニーズを満足させ、並びに製品の不合格率を下げることができる。
【００１５】
図７から図１１に示すように、本考案の第二実施例によるＵＳＢポートを持つメモリスティックによると、更に前述閉鎖カバーの配置構成について同効果の変化を行い、長形鉄殻蓋１ａの対称する圏環部１３ａにはそれぞれ複数個の逆鈎部１３１ａがプレス加工され、並びに閉鎖カバー５１ａ及び閉鎖カバー５６ａ二つを互いに組み合わせて完全な末端閉鎖部材を構成し、第一閉鎖カバー５１ａは中空状に現われ、第二閉鎖カバー５６ａの選定個所には複数個の嵌め付け孔５２１ａが設けられ、先ず第一閉鎖カバー５１ａを鉄殻蓋１ａの後端に嵌め付け、更に第二閉鎖カバー５６ａを第一閉鎖カバー５１ａに組付け、第二閉鎖カバー５６ａの嵌め付け孔５２１ａによって長形鉄殻蓋１ａの逆鈎部１３１ａと嵌め付け、それによって、鉄殻蓋１ａの後端を閉鎖する同じ効果が得られる。
【００１６】
図１２から図１６に示すように、本考案の第三実施例によるＵＳＢポートを持つメモリスティックによると、それは、違った類型の長形鉄殻蓋１ｂ（図１２のように）と別の閉鎖カバー５ｂ（図１３のように）が組み合わせ結合に形成されたものについて設けられ、長形鉄殻蓋１ｂは第一実施例または第二実施例に開示された対称の圏環部がなく、それの殻体末端は単純な平ら状に現われ、その末端上下壁にはそれぞれ一個または一個以上の嵌め付け孔１４ｂが設けられ、また、中空プラスチック覆い６ａの対応個所にも嵌め付け孔２１ａが設けられ、前述閉鎖カバー５ｂには挟みばね５１ｂがあり、それは上下二つの挟みばね５１ｂ（挟みばね５１には一個または一個以上の逆鈎部５１１ｂが設けられ）を利用してプラスチックを注入し、一体に覆われた閉鎖カバー５ｂの単一部材が形成され、上下に延伸する挟みばね５１ｂによって逆鈎部５１１ｂを長形鉄殻蓋１ｂの後端に挿入し、挟みばね５１ｂと鉄殻蓋後端１ｂの嵌め付け孔１４ｂと中空プラスチック覆い６ａの嵌め付け孔２１ａとは緊密な組み合わせの嵌め付け閉鎖に形成され、または、閉鎖カバー５ｂにプラスチックを注入して中空のプラスチック覆い６ａに付着成型させ、閉鎖カバー５ｂと中空プラスチック覆い６ａには一層の閉鎖結合された覆いプラスチック５２ｂが形成される。
【００１７】
また、本考案の設計により、選定回路板３は周知の機能性部材であるため、特に実施を制限する必要がなく、例えば、それは単一または多種機能を集めた電子回路の組み合わせにし、または、単純に情報のアクセス装置として提供することができ、または、必要な場合、回路板３に受発信装置を取り付けてネットワークの無線レシーバとして選定実施してもよく、選定回路板３が持つ選定機能はもちろん違った使用ニーズによって決められる。
【００１８】
この外、上記各実施例によって構成されているＵＳＢポートを持つメモリスティックは、各種違った形態の収納箱６またはカバー６ａと相合わせ、メモリスティクを使わない状態に於いて、ＵＳＢコネクター３１の一端の延伸部１２を収納箱６またはカバー６ａに取り付ければ、適当な保護効果を得ることができる。
【００１９】
上記をまとめると、本考案が提供するＵＳＢポートを持つメモリスティックは、構造の設計改善の全体構成形態が従来のものとは大きな差異があり、かつ全体の構造強度を効果的に向上することができ、個別の部材を利用すれば、快速に組み立てて量産のニーズを満足させることができ、かつ製品の不合格率を低くすることができ、進歩の効果は明らかである。
【図面の簡単な説明】
【００２０】
【図１】本考案の第一実施例によるＵＳＢポートを持つメモリスティックの長形鉄殻蓋と中空プラスチック覆いを示す分解斜視図である。
【図２】本考案の第一実施例によるＵＳＢポートを持つメモリスティックの長形鉄殻蓋と中空プラスチック覆いを示す斜視図である。
【図３】本考案の第一実施例によるＵＳＢポートを持つメモリスティックの回路板とブラケットと閉鎖カバーとを示す分解斜視図である。
【図４】本考案の第一実施例によるＵＳＢポートを持つメモリスティックを示す分解斜視図である。
【図５】本考案の第一実施例によるＵＳＢポートを持つメモリスティックを示す斜視図である。
【図６】本考案の第一実施例によるＵＳＢポートを持つメモリスティックを示す断面図である。
【図７】本考案の第二実施例によるＵＳＢポートを持つメモリスティックの長形鉄殻蓋と中空プラスチック覆いを示す分解斜視図である。
【図８】本考案の第二実施例によるＵＳＢポートを持つメモリスティックの第一閉鎖カバーが分解されている状態を示す斜視図である。
【図９】本考案の第二実施例によるＵＳＢポートを持つメモリスティックの第二閉鎖カバーが分解されている状態を示す斜視図である。
【図１０】本考案の第二実施例によるＵＳＢポートを持つメモリスティックを示す斜視図である。
【図１１】本考案の第二実施例によるＵＳＢポートを持つメモリスティックの局部を示す模式図である。
【図１２】本考案の第三実施例によるＵＳＢポートを持つメモリスティックの長形鉄殻蓋と中空プラスチック覆いを示す分解斜視図である。
【図１３】本考案の第三実施例によるＵＳＢポートを持つメモリスティックの閉鎖カバーを示す斜視図である。
【図１４】本考案の第三実施例によるＵＳＢポートを持つメモリスティックの閉鎖カバーが分解されている状態を示す斜視図である。
【図１５】本考案の第三実施例によるＵＳＢポートを持つメモリスティックを示す斜視図である。
【図１６】本考案の第三実施例によるＵＳＢポートを持つメモリスティックの局部を示す模式図である。
【図１７】本考案の第一実施例、第二実施例又は第三実施例によるＵＳＢポートを持つメモリスティックと収納箱が組み合わせられた状態を示す分解斜視図である。
【図１８】本考案の第一実施例、第二実施例又は第三実施例によるＵＳＢポートを持つメモリスティックと収納箱が組み合わされた状態を示す斜視図である。
【図１９】本考案の第一実施例、第二実施例又は第三実施例によるＵＳＢポートを持つメモリスティックとカバーが組み合わされた状態を示す分解斜視図である。
【図２０】本考案の第一実施例、第二実施例又は第三実施例によるＵＳＢポートを持つメモリスティックとカバーが組み合わされた状態を示す斜視図である。
【符号の説明】
【００２１】
１  長形鉄殻蓋、１ａ  長形鉄殻蓋、１ｂ  長形鉄殻蓋、２  中空プラスチック覆い、２ａ  中空プラスチック覆い、３  回路板、４  ブラケット、５  閉鎖カバー、５ｂ  閉鎖カバー、６  収納箱、６ａ  カバー、１１  切削部、１２  小さい延伸部、１３  圏環部、１３ａ  圏環部、１４ｂ  嵌め付け孔、２１ａ  嵌め付け孔、３１  ＵＳＢコネクター、４１  側端部、５１  プラスチック覆い、５１ａ  第一閉鎖カバー、５１ｂ  挟みばね、５２ａ  第二閉鎖カバー、５２ｂ  プラスチック覆い、１３１ａ  逆鈎部、５１１ｂ逆鈎部、５２１ａ  嵌め付け孔
【図１】
0003106692.tif 000003
【図２】
0003106692.tif 000004
【図３】
0003106692.tif 000005
【図４】
0003106692.tif 000006
【図５】
0003106692.tif 000007
【図６】
0003106692.tif 000008
【図７】
0003106692.tif 000009
【図８】
0003106692.tif 000010
【図９】
0003106692.tif 000011
【図１０】
0003106692.tif 000012
【図１１】
0003106692.tif 000013
【図１２】
0003106692.tif 000014
【図１３】
0003106692.tif 000015
【図１４】
0003106692.tif 000016
【図１５】
0003106692.tif 000017
【図１６】
0003106692.tif 000018
【図１７】
0003106692.tif 000019
【図１８】
0003106692.tif 000020
【図１９】
0003106692.tif 000021
【図２０】
0003106692.tif 000022
【手続補正書】
【提出日】平成16年9月10日(2004.9.10)
【手続補正１】
【補正対象書類名】実用新案登録請求の範囲
【補正対象項目名】全文
【補正方法】変更
【補正の内容】
【実用新案登録請求の範囲】
【請求項１】
ＵＳＢポートを持つメモリ装置であって、長形鉄殻蓋、中空プラスチック覆い、選定回路板、ブラケット及び閉鎖カバーを備え、
長形鉄殻蓋は狭く長い中空の鉄殻であり、選定された内側にそれぞれ切削部があり、前端はやや小さい延伸部に形成されて選定回路板内に設けられているＵＳＢコネクターの配置の構成に供され、
中空プラスチック覆いは予め単独個別のプラスチック覆いの部材に成型され、長形鉄殻蓋の外部の覆い結合に供され、内部に設けられているＵＳＢコネクターのやや小さい延伸部は露出状に現われ、
選定回路板は使用のニーズによって選定機能が与えられている電子回路の組み合わせであって、回路板の前端にはＵＳＢコネクターが設置され、選定回路板は長形鉄殻蓋内に置かれ、
ブラケットは選定されたブラケット状のものであって、選定回路板とＵＳＢコネクターとの間に取り付けられ、かつブラケットの両側端部は長形鉄殻蓋の切削部に当て付けて緊密な当て持ちの定位置に形成され、
閉鎖カバーは閉鎖する蓋であって、回路板の末端に嵌め付けて長形鉄殻蓋の後端に詰め込まれ、閉鎖結合の状態に形成されることを特徴とするＵＳＢポートを持つメモリ装置。
【請求項２】
長形鉄殻蓋の殻体末端両壁には、対称の圏環部が設けられていることを特徴とする請求項１記載のＵＳＢポートを持つメモリ装置。
【請求項３】
閉鎖カバーは、プラスチックが注入されて中空プラスチック覆いに付着成型されることを特徴とする請求項１記載のＵＳＢポートを持つメモリ装置。
【請求項４】
長形鉄殻蓋の殻体末端両壁には、対称の圏環部が設けられ、かつ対称の圏環部にはそれぞれ複数個の逆鈎部がプレス加工され、並びに閉鎖カバーの二つをもって互いに組み合わせて取り付けられ、完全な末端閉鎖部材に構成されることを特徴とする請求項１記載のＵＳＢポートを持つメモリ装置。
【請求項５】
第一閉鎖カバーは、中空状に現われ、第二閉鎖カバーの選定個所には複数個の嵌め付け孔が設けられ、第一閉鎖カバーを鉄殻蓋の後端に嵌め付け、更に第二閉鎖カバーを第一閉鎖カバーに組付け、第二閉鎖カバーの嵌め付け孔によって長形鉄殻蓋の逆鈎部と嵌め付けて閉鎖を形成することを特徴とする請求項４記載のＵＳＢポートを持つメモリ装置。
【請求項６】
長形鉄殻蓋の殻体末端は、平坦に形成され、その末端上壁及び下壁にはそれぞれ一個または一個以上の嵌め付け孔が設けられ、中空プラスチック覆いの対応個所にも嵌め付け孔が設けられ、かつ上下二つの挟みばねを利用し、プラスチックを注入して一体に覆われている閉鎖カバーが形成され、挟みばねには一個または一個以上の逆鈎部が設けられ、上下に延伸する挟みばねによって逆鈎部を長形鉄殻蓋の後端に挿入し、挟みばねと鉄殻蓋の後端の嵌め付け孔と中空プラスチック覆いの嵌め付け孔は緊密な組み合わせの嵌め付け閉鎖に形成されることを特徴とする請求項１記載のＵＳＢポートを持つメモリ装置。
【請求項７】
閉鎖カバーは、プラスチックが注入されて中空のプラスチック覆いに付着成型され、閉鎖カバーと中空プラスチック覆いには一層の閉鎖結合している覆いプラスチックが形成されることを特徴とする請求項６記載のＵＳＢポートを持つメモリ装置。
【手続補正３】
【補正対象書類名】明細書
【補正対象項目名】０００１
【補正方法】変更
【補正の内容】
【０００１】
本考案は、ＵＳＢポートを持つメモリ装置の設計に関するものであって、それの主要は、長形鉄殻蓋、中空プラスチック覆い、選定回路板、ブラケット及び閉鎖カバー等の部材から構成され、それの構造及び構成形態はともに新型性がある。
【手続補正４】
【補正対象書類名】明細書
【補正対象項目名】０００２
【補正方法】変更
【補正の内容】
【０００２】
従来のＵＳＢポートを持つメモリスティックなどのメモリ装置の構成は、通常、選定された機能のある回路板を直接上下殻蓋に設置し、更に合わせた殻蓋をパッケージ成型し、または、単純にペイントされるが、それの全体の構成形態は一貫した製造過程に相合わせるため、違った個別の部材によって快速に組み立てを行うことができず、特に、殻蓋の表面に対してプラスチック覆い作業を行う場合は、量産のニーズに符合できず、かつ不合格率が高くなり、また、周知のメモリ装置はＵＳＢコネクターを回路板の一端に溶接し、それを殻蓋に入れているが、適当な支え効果がなく、プラスチック覆いを行う場合は、変形しやすいので、全体の構造はよくなく、不注意または外力によって損害することがある。
【手続補正５】
【補正対象書類名】明細書
【補正対象項目名】０００３
【補正方法】変更
【補正の内容】
【０００３】
本考案の主な目的は、ＵＳＢポートを持つメモリ装置の設計を提供するものであって、それは、長形鉄殻蓋、中空プラスチック覆い、選定回路板、ブラケット及び閉鎖カバー等の部材から構成され、選定回路板にブラケットを取り付けることによって、回路板を長形鉄殻蓋の内部に固定し、更に中空プラスチック覆いを鉄殻蓋に覆い結合し、並びに閉鎖カバー部材を詰め込んで鉄殻蓋の後端を閉鎖し、このような構成によるメモリスティクは長型鉄殻蓋を主体としているので、それの全体強度が向上されるだけでなく、かつ個別独立の部材と合わせて快速に組み立てを行うことができ、量産のニーズを満足させ、並びに製品の不合格率を下げることができる。
【手続補正６】
【補正対象書類名】明細書
【補正対象項目名】０００４
【補正方法】変更
【補正の内容】
【０００４】
本考案の次の目的は、ＵＳＢポートを持つメモリ装置の設計を提供するものであって、前述鉄殻蓋の後端に詰め込んで閉鎖される閉鎖カバー部材は長形鉄殻蓋と中空プラスチック覆いを嵌め合わせた後に、閉鎖カバーを鉄殻蓋の後端に詰め込んで閉鎖し、並びにプラスチックを注入して中空プラスチック覆いに付着成型し、閉鎖カバーと中空プラスチック覆いは一体にパッケージされる覆い結合に形成される。
【手続補正７】
【補正対象書類名】明細書
【補正対象項目名】０００５
【補正方法】変更
【補正の内容】
【０００５】
本考案のもう一つの目的は、ＵＳＢポートを持つメモリ装置の設計を提供するものであって、前述鉄殻蓋の後端に詰め込んで閉鎖される閉鎖カバー部材は二つが互いに組み合わされる閉鎖カバー部材によって構成されてもよく、まず第一閉鎖カバーを鉄殻蓋の後端に嵌め付け、更に第二閉鎖カバーを第一閉鎖カバーに組付け、それによって、鉄殻蓋の後端を閉鎖する同じ効果が得られる。
【手続補正８】
【補正対象書類名】明細書
【補正対象項目名】０００６
【補正方法】変更
【補正の内容】
【０００６】
本考案の更に一つの目的は、ＵＳＢポートを持つメモリ装置の設計を提供するものであって、前述鉄殻蓋の後端に詰め込んで閉鎖される閉鎖カバー部材は挟みばねがある閉鎖カバー部材を利用し、挟みばねと鉄殻蓋の後端に設けられている嵌め付け孔を組み合わせて対応できるようにし、それによって、挿入後はただちに鉄殻蓋の後端を閉鎖する同効果が得られる。
【手続補正９】
【補正対象書類名】明細書
【補正対象項目名】０００７
【補正方法】変更
【補正の内容】
【０００７】
ＵＳＢポートを持つメモリ装置の設計に関するものであって、それの主要は、長形鉄殻蓋、中空プラスチック覆い、選定回路板、ブラケット及び閉鎖カバー等の部材から構成され、特に、選定回路板にブラケットが取り付けられ、ブラケットによって回路板を鉄殻蓋の内部に固定し、更に中空プラスチック覆いをもって鉄殻蓋に覆い結合し、並びにＵＳＢポートを露出させ、更に閉鎖カバーを詰め込んで鉄殻蓋の後端を閉鎖するが、前述閉鎖方式は部材を一体にプラスチック覆いをし、または、緊密に嵌め付けて閉鎖結合の目的が達成される。
【手続補正１０】
【補正対象書類名】明細書
【補正対象項目名】０００８
【補正方法】変更
【補正の内容】
【０００８】
図１から図６に示すように、本考案の第一実施例によるＵＳＢポートを持つメモリ装置によると、構成の主要は、長形鉄殻蓋１、中空プラスチック覆い２、選定回路板３、ブラケット４及び閉鎖カバー５等の部材が含まれている。
【手続補正１１】
【補正対象書類名】明細書
【補正対象項目名】００１４
【補正方法】変更
【補正の内容】
【００１４】
上述によって構成されているＵＳＢポートを持つメモリ装置は、本実施例は長形鉄殻蓋１を主体としているので、それの全体強度が向上されるだけでなく、かつ個別独立の部材と合わせて快速に組み立てを行うことができ、量産のニーズを満足させ、並びに製品の不合格率を下げることができる。
【手続補正１２】
【補正対象書類名】明細書
【補正対象項目名】００１５
【補正方法】変更
【補正の内容】
【００１５】
図７から図１１に示すように、本考案の第二実施例によるＵＳＢポートを持つメモリ装置によると、更に前述閉鎖カバーの配置構成について同効果の変化を行い、長形鉄殻蓋１ａの対称する圏環部１３ａにはそれぞれ複数個の逆鈎部１３１ａがプレス加工され、並びに閉鎖カバー５１ａ及び閉鎖カバー５６ａ二つを互いに組み合わせて完全な末端閉鎖部材を構成し、第一閉鎖カバー５１ａは中空状に現われ、第二閉鎖カバー５６ａの選定個所には複数個の嵌め付け孔５２１ａが設けられ、先ず第一閉鎖カバー５１ａを鉄殻蓋１ａの後端に嵌め付け、更に第二閉鎖カバー５６ａを第一閉鎖カバー５１ａに組付け、第二閉鎖カバー５６ａの嵌め付け孔５２１ａによって長形鉄殻蓋１ａの逆鈎部１３１ａと嵌め付け、それによって、鉄殻蓋１ａの後端を閉鎖する同じ効果が得られる。
【手続補正１３】
【補正対象書類名】明細書
【補正対象項目名】００１６
【補正方法】変更
【補正の内容】
【００１６】
図１２から図１６に示すように、本考案の第三実施例によるＵＳＢポートを持つメモリ装置によると、それは、違った類型の長形鉄殻蓋１ｂ（図１２のように）と別の閉鎖カバー５ｂ（図１３のように）が組み合わせ結合に形成されたものについて設けられ、長形鉄殻蓋１ｂは第一実施例または第二実施例に開示された対称の圏環部がなく、それの殻体末端は単純な平ら状に現われ、その末端上下壁にはそれぞれ一個または一個以上の嵌め付け孔１４ｂが設けられ、また、中空プラスチック覆い６ａの対応個所にも嵌め付け孔２１ａが設けられ、前述閉鎖カバー５ｂには挟みばね５１ｂがあり、それは上下二つの挟みばね５１ｂ（挟みばね５１には一個または一個以上の逆鈎部５１１ｂが設けられ）を利用してプラスチックを注入し、一体に覆われた閉鎖カバー５ｂの単一部材が形成され、上下に延伸する挟みばね５１ｂによって逆鈎部５１１ｂを長形鉄殻蓋１ｂの後端に挿入し、挟みばね５１ｂと鉄殻蓋後端１ｂの嵌め付け孔１４ｂと中空プラスチック覆い６ａの嵌め付け孔２１ａとは緊密な組み合わせの嵌め付け閉鎖に形成され、または、閉鎖カバー５ｂにプラスチックを注入して中空のプラスチック覆い６ａに付着成型させ、閉鎖カバー５ｂと中空プラスチック覆い６ａには一層の閉鎖結合された覆いプラスチック５２ｂが形成される。
【手続補正１４】
【補正対象書類名】明細書
【補正対象項目名】００１８
【補正方法】変更
【補正の内容】
【００１８】
この外、上記各実施例によって構成されているＵＳＢポートを持つメモリ装置は、各種違った形態の収納箱６またはカバー６ａと相合わせ、メモリスティクを使わない状態に於いて、ＵＳＢコネクター３１の一端の延伸部１２を収納箱６またはカバー６ａに取り付ければ、適当な保護効果を得ることができる。
【手続補正１５】
【補正対象書類名】明細書
【補正対象項目名】００１９
【補正方法】変更
【補正の内容】
【００１９】
上記をまとめると、本考案が提供するＵＳＢポートを持つメモリ装置は、構造の設計改善の全体構成形態が従来のものとは大きな差異があり、かつ全体の構造強度を効果的に向上することができ、個別の部材を利用すれば、快速に組み立てて量産のニーズを満足させることができ、かつ製品の不合格率を低くすることができ、進歩の効果は明らかである。
【手続補正１６】
【補正対象書類名】明細書
【補正対象項目名】００２０
【補正方法】変更
【補正の内容】
【００２０】
【図１】本考案の第一実施例によるＵＳＢポートを持つメモリ装置の長形鉄殻蓋と中空プラスチック覆いを示す分解斜視図である。
【図２】本考案の第一実施例によるＵＳＢポートを持つメモリ装置の長形鉄殻蓋と中空プラスチック覆いを示す斜視図である。
【図３】本考案の第一実施例によるＵＳＢポートを持つメモリ装置の回路板とブラケットと閉鎖カバーとを示す分解斜視図である。
【図４】本考案の第一実施例によるＵＳＢポートを持つメモリ装置を示す分解斜視図である。
【図５】本考案の第一実施例によるＵＳＢポートを持つメモリ装置を示す斜視図である。
【図６】本考案の第一実施例によるＵＳＢポートを持つメモリ装置を示す断面図である。
【図７】本考案の第二実施例によるＵＳＢポートを持つメモリ装置の長形鉄殻蓋と中空プラスチック覆いを示す分解斜視図である。
【図８】本考案の第二実施例によるＵＳＢポートを持つメモリ装置の第一閉鎖カバーが分解されている状態を示す斜視図である。
【図９】本考案の第二実施例によるＵＳＢポートを持つメモリ装置の第二閉鎖カバーが分解されている状態を示す斜視図である。
【図１０】本考案の第二実施例によるＵＳＢポートを持つメモリ装置を示す斜視図である。
【図１１】本考案の第二実施例によるＵＳＢポートを持つメモリ装置の局部を示す模式図である。
【図１２】本考案の第三実施例によるＵＳＢポートを持つメモリ装置の長形鉄殻蓋と中空プラスチック覆いを示す分解斜視図である。
【図１３】本考案の第三実施例によるＵＳＢポートを持つメモリ装置の閉鎖カバーを示す斜視図である。
【図１４】本考案の第三実施例によるＵＳＢポートを持つメモリ装置の閉鎖カバーが分解されている状態を示す斜視図である。
【図１５】本考案の第三実施例によるＵＳＢポートを持つメモリ装置を示す斜視図である。
【図１６】本考案の第三実施例によるＵＳＢポートを持つメモリ装置の局部を示す模式図である。
【図１７】本考案の第一実施例、第二実施例又は第三実施例によるＵＳＢポートを持つメモリ装置と収納箱が組み合わせられた状態を示す分解斜視図である。
【図１８】本考案の第一実施例、第二実施例又は第三実施例によるＵＳＢポートを持つメモリ装置と収納箱が組み合わされた状態を示す斜視図である。
【図１９】本考案の第一実施例、第二実施例又は第三実施例によるＵＳＢポートを持つメモリ装置とカバーが組み合わされた状態を示す分解斜視図である。
【図２０】本考案の第一実施例、第二実施例又は第三実施例によるＵＳＢポートを持つメモリ装置とカバーが組み合わされた状態を示す斜視図である。